(57)【要約】【課題】  使用者が開閉体に手をかけた位置を特に意識せずとも、筐体に対して開閉体を確実に閉めることができる開閉体係止装置を提供する。【解決手段】  使用者が解除レバー１８に手をかけてジャムアクセスカバー１５を閉じたとしても、鉤爪２０ｂが切欠２２ｂに係り合う際に、トーションスプリング１９による付勢力に抗して回転軸１７が解除レバー１８に対して軸心Ｌ１中心他方側に回転して、鉤爪２０ｂが切欠２２ｂが形成された上フレーム３０をやり過ごす。【選択図】  図１
2011128387.tif 000002
【特許請求の範囲】
【請求項１】
開口部を持つ筐体に開閉可能に取り付けた開閉体を、前記開口部を閉じた位置で前記筐体に係止する開閉体係止装置において、
前記開閉体に軸心中心に回転可能に支持される回転軸と、
前記回転軸を軸心中心一方側に回転付勢する付勢部材と、
少なくとも一つの係止部材であって前記回転軸に回り止め状態で固定される係止部と、
前記筐体に設けられる受け部であって、前記開閉体が前記開口部を閉じる位置において前記係止部が係り合う受け部と、
前記付勢部材による軸心中心一方側への回転付勢力に抗して前記回転軸を軸心中心他方側に回転させるための把持部材であって、前記回転軸が前記把持部材に対して軸心中心他方側に回転することを許容する状態で、前記回転軸に組み付けられる把持部材と、を含む、ことを特徴とする開閉体係止装置。
【請求項２】
請求項１に記載の開閉体係止装置において、
前記把持部材は前記回転軸の回転方向に沿って延びる長孔を備え、且つ前記回転軸は軸心に直交して穿設された止孔を備え、
前記把持部材と前記回転軸とを非分割に組み付ける組付ピンが、前記長孔に遊嵌され且つ前記止孔に嵌入される、ことを特徴とする開閉体係止装置。
【請求項３】
請求項２に記載の開閉体係止装置において、
前記回転軸は、前記長孔の周長範囲内で、軸心中心他方側への回転が許容されている、ことを特徴とする開閉体係止装置。
【請求項４】
請求項２又は３に記載の開閉体係止装置において、
前記組付ピンが、前記長孔の幅よりも広い頭部形状を持つねじ部材である、ことを特徴とする開閉体係止装置。
【請求項５】
請求項１〜４のいずれか一つに記載の開閉体係止装置において、
前記係止部は傾斜面を持つ鉤爪である、ことを特徴とする開閉体係止装置。
【請求項６】
請求項１〜５のいずれか一つに記載の開閉体係止装置において、
前記開閉体は、前記把持部材の軸心中心に方側への回転を制限する規制壁を有する、ことを特徴とする開閉体係止装置。
【請求項７】
開口部を持つ筐体に開閉可能に取り付けた開閉体を、前記開口部を閉じた位置で前記筐体に係止する開閉体係止装置において、
前記開閉体に軸心中心に回転可能に支持される回転軸と、前記回転軸を軸心中心一方側に回転付勢する付勢部材と、少なくとも一つの係止部材であって前記回転軸に回り止め状態で固定される係止部と、前記筐体に設けられる受け部であって、前記開閉体が前記開口部を閉じる位置において前記係止部が係り合う受け部と、前記付勢部材による軸心中心一方側への回転付勢力に抗して前記回転軸を軸心中心他方側に回転させるための把持部材とを備え、
前記回転軸と前記把持部材とが所定角度範囲で相対回転可能に、前記把持部材が前記回転軸に組み付けられる、ことを特徴とする開閉体係止装置。
【発明の詳細な説明】
【技術分野】
【０００１】
本発明は、開口部を持つ筐体に開閉可能に取り付けた開閉体を、開口部を閉じた位置で筐体に係止する開閉体係止装置に関する。特に、本発明の開閉体係止装置は、プリンタ、複写機、ファクシミリ又はこれらの機能を合わせ持つ複合機を構成する電子写真方式の画像形成装置や自動原稿搬送装置等に好適に適用し得る。
【背景技術】
【０００２】
電子写真方式の画像形成装置や自動原稿搬送装置では、その筐体の側壁に大きな開口部が設けられており、サービスマンや使用者は、例えばプロセスユニットやローラなどの部品交換の目的で、又はジャム用紙の除去やプラテンガラスの清掃などメンテナンスの目的で、その開口部から筐体内部にアクセスする。筐体にはジャムアクセスカバーやアウターガイド等の開閉体が開閉可能に組み付けられ、これらの装置の使用時には、この開閉体は開口部を閉じるとともにその閉位置で筐体に係止される。
【０００３】
特許文献１に、電子写真方式の画像形成装置の例が示されている。この例では、開閉体としてのジャムアクセスカバーにロックレバーが揺動可能に支持され、このロックレバーは支軸とフックと操作ノブとにより構成され合成樹脂により一体的に成形されている。ジャムアクセスカバーを開く際、使用者は操作ノブに手をかけてロックレバーを支軸中心に回転させてフックと受け部との係合を解除するが、ジャムアクセスカバーを閉じる際、使用者はロックレバーに手をかけずにジャムアクセスカバーの外表面に手を副えて、これを押すことを余儀なくされる。
【０００４】
つまり、支軸とフックと操作ノブとが一体となった特許文献１の構成では、使用者がジャムアクセスカバーの外表面に手を副えて閉じる際には、フックが受け部に係る時にロックレバーが支軸中心に揺動して逃げることができるためジャムアクセスカバーをきちんと閉めることができるが、使用者が操作ノブに手をかけたままジャムアクセスカバーを閉じると、フックが受け部にかかる時に使用者による押圧によってロックレバーが逃げる動作が阻害され、結果としてジャムアクセスカバーをきちんと閉めることができないという課題があった。
【先行技術文献】
【特許文献】
【０００５】
【特許文献１】特開２００６−３９１７０号公報
【発明の概要】
【発明が解決しようとする課題】
【０００６】
従って本発明の目的は、使用者が開閉体に手をかけた位置を特に意識せずとも、筐体に対して開閉体を確実に閉めることができる開閉体係止装置を提供することにある。
【課題を解決するための手段】
【０００７】
本発明は、開口部を持つ筐体に開閉可能に取り付けた開閉体を、開口部を閉じた位置で筐体に係止する開閉体係止装置に関する。好ましい態様として、この開閉体係止装置は、回転軸と付勢部材と少なくとも一つの係止部材と受け部と把持部材とを含む。回転軸は開閉体に軸心中心に回転可能に支持され、付勢部材は回転軸を軸心中心一方側に回転付勢する。係止部材は回転軸に回り止め状態で固定され、開閉体が開口部を閉じる位置において、係止部が筐体に設けられた受け部に係り合う。把持部材は、付勢部材による軸心中心一方側への回転付勢力に抗して回転軸を軸心中心他方側に回転させるための部材であって、回転軸が把持部材に対して軸心中心他方側に回転することを許容する状態で回転軸に組み付けられる。
【０００８】
前述の好ましい態様に従うと、使用者が把持部材に手をかけて開閉体を閉じたとしても、係止部が受け部に係り合う際に、付勢手段による付勢力に抗して回転軸が把持部材に対して軸心中心他方側に回転して、係止部が受け部を画定するフレーム等を乗り越える。使用者が開閉体の外表面に手を副えて開閉体を閉じた場合には、付勢手段による付勢力に抗して、回転軸、係止部及び把持部材が一体となって軸心中心他方側に回転して又は回転軸が把持部材に対して軸心中心他方側に回転して、係止部が受け部を画定するフレーム等を乗り越える。つまり、使用者が開閉体及び把持部材のいずれに手を掛けていたとしても、開閉体の閉じる動作に伴って、係止部は、受け部を画定するフレーム等を乗り越えることができ、その後に受け部に係り合う。そして、係止部が受け部に係り合った状態が付勢手段による付勢力によって保持されて、開口部を閉じた位置に開閉体が確実に保持される。したがって、使用者は、筐体に対して開閉体を確実に閉める際に、開閉体の外表面に手を副えているか把持部材に手を掛けているかを意識する必要がない。
【０００９】
本発明のさらに好ましい態様において、把持部材は、回転軸の回転方向に沿って延びる長孔を備える。そして、回転軸は軸心に直交して穿設された止孔を備える。把持部材と回転軸とを非分割に組み付ける組付ピンが、長孔に遊嵌され且つ止孔に嵌入される。特に、回転軸は、前記長孔の周長範囲内で軸心中心他方側への回転が許容されている。
【００１０】
前述の好ましい態様に従うと、組付ピンを把持部材の長孔に緩く挿入してから回転軸の止孔に窮屈に嵌め入れて、把持部材と回転軸とが相互に分離しないように組み付けられる。こうして、回転軸が把持部材に対して少なくとも長孔の周長範囲内で他方側に回転して、受け部を画定するフレーム等を乗り越えることができる。
【００１１】
本発明のさらに好ましい態様において、組付ピンが長孔の幅よりも広い頭部形状を持つねじ部材である。
【００１２】
前述の好ましい態様に従うと、ねじ部材が長孔の幅よりも広い頭部形状を持っているので、回転軸と把持部材とが分割されない。
【００１３】
本発明のさらに好ましい態様において、前記係止部は傾斜面を持つ鉤爪である。
【００１４】
前述の好ましい態様に従うと、開閉体を閉じる動作とともに、鉤爪の傾斜面が受け部を画定するフレーム等に接触しながら回転軸を軸心中心他方側に回転させ、鉤爪が受け部を画定するフレーム等を乗り越えた後に係り合う。
【００１５】
本発明のさらに好ましい態様において、把持部材の軸心中心一方側への回転を制限する規制壁を有する。
【００１６】
前述の好ましい態様に従うと、規制壁により把持部材の軸心中心に関して一方側への回転が規制されるので、回転規制された把持部材に対して回転軸が軸心中心他方側に回転して受け部を画定するフレーム等を乗り越えることができる。
【００１７】
本発明の他の好ましい態様の開閉体係止装置は、開閉体に軸心中心に回転可能に支持される回転軸と、回転軸を軸心中心に一方側に回転付勢する付勢部材と、少なくとも一つの係止部材であって回転軸に回り止め状態で固定される係止部と、筐体に設けられる受け部であって開閉体が開口部を閉じる位置において係止部が係り合う受け部と、付勢部材による軸心中心に一方側への回転付勢力に抗して回転軸を軸心中心に他方側に回転させるための把持部材とを備える。そして、回転軸と把持部材とが所定角度範囲で相対回転可能に、把持部材が回転軸に組み付けられる。
【００１８】
前述の好ましい態様に従うと、使用者が把持部材に手をかけて開閉体を閉じたとしても、係止部が受け部に係り合う際に、付勢手段による付勢力に抗して回転軸が把持部材に対して軸心中心他方側に回転して、係止部が受け部を画定するフレーム等を乗り越える。使用者が開閉体の外表面に手を副えて開閉体を閉じた場合には、付勢手段による付勢力に抗して、回転軸、係止部及び把持部材が一体となって軸心中心他方側に回転して又は回転軸が把持部材に対して軸心中心他方側に回転して、係止部が受け部を画定するフレーム等を乗り越える。つまり、使用者が開閉体及び把持部材のいずれに手を掛けていたとしても、開閉体の閉じる動作に伴って、係止部は受け部を画定するフレーム等を乗り越えることができその後に受け部に係り合う。そして、係止部が受け部に係り合った状態が付勢手段による付勢力によって保持されて、開口部を閉じた位置に開閉体が確実に保持される。したがって、使用者は、筐体に対して開閉体を閉める際に、開閉体の外表面に手を副えているか把持部材に手を掛けているかを意識する必要がない。
【発明の効果】
【００１９】
使用者が開閉体に手をかけた位置を特に意識せずとも、筐体に対して開閉体を確実に閉めることができる。
【図面の簡単な説明】
【００２０】
【図１】本発明の一実施形態の開閉体係止装置を示す断面斜視図である。
【図２】本発明の開閉体係止装置が好適に備えられた電子写真方式の画像形成装置の概略正面図である。
【図３】本発明の開閉体係止装置が好適に備えられた電子写真方式の画像形成装置の外観斜視図である。
【図４】本発明の一実施形態の開閉体の外観斜視図である。
【図５】本発明の一実施形態の開閉体係止装置を示す斜視図である。
【図６】本発明の一実施形態の開閉体係止装置の一部を分解して示す斜視図である。
【図７】本発明の一実施形態の開閉体係止装置の一部を示す断面図である。
【発明を実施するための形態】
【００２１】
以下、図面を適宜に参照しつつ本発明の好適な実施形態を説明する。図２及び図３に本発明の開閉体係止装置を好適に採用した画像形成装置の一例を示し、図３には特に開閉体を開いた状態を示す。図４は、開閉体としてのジャムアクセスカバー１５の外観斜視図である。本発明の開閉体係止装置は、画像形成装置のみならず原稿の搬送路を構築するアウターガイドなどの開閉体を持つ自動原稿搬送装置にも好適に採用し得るが、本実施形態では特に画像形成装置に採用した例に着目して説明する。この例の画像形成装置は、電子写真方式のプリンタ１として具現されている。プリンタ１は、多数枚の用紙が重ねて収容される給紙部２の上に、電子写真方式の画像記録部３を積み重ねて構成される。給紙部２は画像記録部３に用紙を送り出す。
【００２２】
画像記録部３は、正面視で横向きＬ字状のプリンタ筐体４を有し、このプリンタ筐体４に、図２に２点差線で示す用紙搬送路５に沿って、感光体ドラム６、現像ローラ７、転写ローラ８、定着ローラ９、押圧ローラ１０及び排紙ローラ対１１が内蔵されている。
【００２３】
画像記録プロセスを簡単に説明すると、トナーを保持した現像ローラ７から静電潜像が形成された感光体ドラム６上にトナーが移転され、電圧印加された転写ローラ８が感光体ドラム６上のトナー像を用紙搬送路１３内で搬送される用紙に移転する。定着ローラ９及び押圧ローラ１０は、トナー像を保持した用紙を挟んで送りながら熱と圧力とを付与し、用紙上にトナー像が定着される。トナー像が定着した記録済用紙は、排紙ローラ対１１により排紙トレイ１３上に排紙される。
【００２４】
感光体ドラム６を備えた感光体ユニット、現像ローラ７を備えた現像ユニット、若しくは感光体ドラム６及び現像ローラ７を備えたプロセスユニットを交換する目的で、又は転写ローラ８、定着ローラ９及び排紙ローラ対１１などの搬送ローラを清掃する若しくは交換する目的で、プリンタ１の内部に使用者又はサービスマンがアクセスできるように、プリンタ筐体４の前面及び右側面に比較的開口面積の大きい開口部が形成されている。プリンタ１の使用時において、正面開口部は本体フレームの正面下部にヒンジにより開閉可能に連結されたフロントカバー１４により塞がれ、右側面開口部は本体フレームの右側面下部にヒンジにより開閉可能に連結された開閉体としてのジャムアクセスカバー１５により塞がれる。このジャムアクセスカバー１５は、画像記録部３に記録紙を送り込むための手差し給紙トレイ３２を備えており、本発明の一実施形態の開閉体係止装置１６により右側面開口部を閉じた位置でプリンタ筐体４に係止される。
【００２５】
この開閉体係止装置１６を、図１及び図３〜図７を参照して説明する。図１は、開閉体係止装置１６の部分断面斜視図であり、図５は斜視図である。図６は開閉体係止装置１６の分解斜視図であり、図７は開閉体係止装置１６の断面図である。
【００２６】
開閉体係止装置１６は、回転軸１７、把持部材としての解除レバー１８、付勢部材としてのトーションスプリング１９、係止部としての一対の鉤爪２０ａ，２０ｂ、取付ピンとしてのショルダースクリュー２１、規制壁２３、及び受け部としての一対の切欠２２ａ，２２ｂを主な構成要素とする。回転軸１７、解除レバー１８、トーションスプリング１９、一対の鉤爪２０ａ，２０ｂ、ショルダースクリュー２１、及び規制壁２３はジャムアクセスカバー１５に設けられ、一対の切欠２２ａ，２２ｂはプリンタ筐体４の上フレーム３０に形成される。
【００２７】
回転軸１７は、一対の支持ブラケット２９ａ，２９ｂによって回転可能に支持される。一対の支持ブラケット２９ａ，２９ｂはジャムアクセスカバー１５の内面から突出して形成され、一方の支持ブラケット２９ａは正面手前寄りに位置し、他方の支持ブラケット２９ｂは正面奥寄りに位置する。回転軸１７は、前後に長い丸軸であってステンレス等の金属から成り、その各端部にＤカット部が形成されるとともに、中央位置に止孔２５が軸心Ｌ１に直交して穿設される。
【００２８】
鉤爪２０ａ，２０ｂは、いずれも高密度ポリスチレン等の比較的剛性の高い合成樹脂から成る鉤状部材である。先端の爪部を上向きにして基部に形成された孔に回転軸１７のＤカット部を挿通することにより、鉤爪２０ａ，２０ｂは、回り止め状態で回転軸１７の各端部に固定される。鉤爪２０ａ，２０ｂはいずれも先端爪部に傾斜面３４を有し、この傾斜面３４は上から下向きにジャムアクセスカバー１５の内面から遠ざかるように傾斜している。
【００２９】
トーションスプリング１９に回転軸１７の奥側端部が挿通され、このトーションスプリング１９の一端部が奥側の鉤爪２０ｂの基部下面に弾発的に接触し、他端部がジャムアクセスカバー１５の内面に弾発的に接触する。トーションスプリング１９の付勢力により鉤爪２０ｂが回転軸１７の軸心中心Ｌ１一方側に回転付勢され、これに伴って鉤爪２０ｂに回り止め状態で連結された回転軸１７及び鉤爪２０ａも軸心Ｌ１中心一方側に回転付勢される。鉤爪２０ａ，２０ｂの基部上面に形成した凸部４０が、ジャムアクセスカバー１５の内面から内向きに突出したリブ４１の下面に当接し、回転軸１７及び鉤爪２０ａ，２０ｂのそれ以上の軸心Ｌ１中心一方側への回転が停止される。
【００３０】
ジャムアクセスカバー１５には外向き（正面右側）に開口した収容凹所３９が設けられ、この収容凹所３９は、ジャムアクセスカバー１５の内面から内向き（正面左側）に立設する一対の支持壁３１，３１と、この一対の支持壁３１，３１の内側端部を繋ぐ規制壁２３とによって、少なくとも上方に開放した袋状に形成されている。この袋状の収容凹所３９内に、解除レバー１８が収容される。
【００３１】
解除レバー１８は、高密度ポリスチレン等の比較的剛性の高い剛性樹脂から成る一体成形部品であって、ジャムアクセスカバー１５に設けた収容凹所３９内に収容される。解除レバー１８は、回転軸１７の外周に沿う外向き（正面右側）に凹んだ円弧状の取付部位３５と、この取付部位３５の下端から段付きにジャムアクセスカバー１５の外表面位置まで延びてから垂下するハンドル部位３６と、取付部位３５の上端から内向き（正面左側）に水平に突出する水平部位３７と、これら取付部位３５、ハンドル部位３６及び水平部位３７を両側から支持して補強する一対の支持壁３８，３８とから構成される。
【００３２】
取付部位３５の前後方向中央位置に、その円弧に沿って切り欠かれた長孔２４が予め定める周長で厚み方向に貫通して形成され、この長孔２４の幅（前後方向長さ）はショルダースクリュー２１のねじ部の直径よりも長い。取付部位３５の円弧状凹部に回転軸１７の周面を沿わせ且つ取付部位３５の長孔２４と回転軸１７の止孔２５とを位置合わせした上で、ショルダースクリュー２１を内側（正面左側）から長孔２４に遊嵌し止孔２５に窮屈に嵌め入れる。
【００３３】
詳しくは、ショルダースクリュー２１の先端のねじ部を止孔２５にねじ入れ、ねじ部に連なる大径部を長孔２４内に位置させ、大径部に連なる頭部のワッシャ板２８が取付部位３５の外周面に接触する態様に、回転軸１７、解除レバー１８及びショルダースクリュー２１を相互に組み付ける。なお、ワッシャ板２８の直径が長孔２４の幅よりも長いので、解除レバー１８及び回転軸１７は相互に非分割に組み付けられている。この組み付け態様により、回転軸１７は解除レバー１８に対して長孔２４の周長で規定される角度範囲で相対回転することができる。つまり、トーションスプリング１９による軸心Ｌ１中心一方側への回転付勢力に抗して、回転軸１７が解除レバー１８に対して軸心Ｌ１中心他方側に回転することを許容した状態に組み付ける。
【００３４】
前記した各部位から構成される解除レバー１８は、全体として内向き及び下向きに開放した袋形状を有しており、少なくともハンドル部位３６がジャムアクセスカバー１５の収容凹所３９に位置される。使用者は、収容凹所３９に手を入れて袋状のハンドル部位３６を下から掴んで引き上げることにより、ショルダースクリュー２１の大径部が長孔２４内を相対的に動いて上端に当接し、さらに引き上げることにより、トーションコイルバネ１９の回転付勢力に抗して、回転軸１７及び鉤爪２０ａ，２０ｂを軸心Ｌ１中心他方側に回転させる。使用者がハンドル部位３６から手を離すと、トーションコイルバネ１９の回転付勢力により、回転軸１７及び鉤爪２０ａ，２０ｂが軸心Ｌ１中心一方側に回転し、これに伴って解除レバー１８が軸心Ｌ１中心一方側に回転する。解除レバー１８の支持壁３８，３８の内側端面２６が規制壁２３の外側表面（右側表面）に当接して、解除レバー１８の軸心Ｌ１中心一方側へのそれ以上の回転は規制される。
【００３５】
受け部としての一対の切欠２２ａ，２２ｂは、プリンタ筐体４の金属製の上フレーム３０の外寄り（正面右側）の位置を切り欠いて形成される。一方の切欠２２ａは、手前側の鉤爪２２ａに対応して上フレーム３０の手前寄りの位置に形成され、他方の切欠２２ｂは、奥側の鉤爪２２ｂに対応して奥寄りの位置に形成される。切欠２２ａ，２２ｂの最も外寄り（正面右側）位置に、上向きに折り曲げた折曲片が設けられている。この切欠２２ａ，２２ｂに対応する鉤爪２０ａ，２０ｂの爪部が引っ掛かり、トーションスプリング１９が、奥側の鉤爪２０ｂを直接に、手前側の鉤爪２０ａを回転軸１７を介して間接に付勢することで、その引っ掛け状態が保持されて、ジャムアクセスカバー１５がプリンタ筐体４の開口部を閉じた状態で保持される。
【００３６】
前述した構成の開閉体係止装置１６を備えた画像形成装置１では、使用者は、ジャムアクセスカバー１５の外表面に手を副えながらは勿論のこと、解除レバー１８のハンドル部位３６を押しながら又は掴みながらジャムアクセスカバー１５をきちんと閉じることができる。
【００３７】
使用者がジャムアクセスカバー１５の外表面に手を副えながら閉じていくと、上フレーム３０の側面及び下面が、鉤爪２０ａ，２０ｂの傾斜面３４に当接し、トーションスプリング１９の付勢力に抗して鉤爪２０ａ，２０ｂを押し下げつつ、回転軸１７を軸心Ｌ１中心他方側に回転させる。そして、ジャムアクセスカバーが開口部を完全に塞ぐ位置まで閉じられると、鉤爪２０ａ，２０ｂの爪部先端が対応する切欠２２ａ，２２ｂに引っ掛かり、トーションスプリング１９の付勢力によってその姿勢が維持され、ジャムアクセスカバー１５がプリンタ筐体４の開口部をきちんと閉じた状態が保持される。
【００３８】
使用者が解除レバー１８に手を掛けて又は手を副えてジャムアクセスカバー１５を閉じていくと、しばらくは回転軸１７、鉤爪２０ａ，２０ｂ及び解除レバー１８が一体となって軸心Ｌ１中心一方側に回転するが、やがて上フレーム３０の側面が鉤爪２０ａ，２０ｂの傾斜面３４に当接する。この状態でさらにジャムアクセスカバー１５を閉じていくと、使用者の手により解除レバー１８には解除レバー１８を軸心Ｌ１中心一方側に回転させる押圧力が作用しているものの、長孔２４の余裕隙間を回転軸１７が解除レバー１８に対して軸心Ｌ１中心他方側に回転する。つまり、使用者の手によって解除レバー１８の軸心Ｌ１中心他方側への回転動作が妨げられていたとしても、フレーム３０の側面及び下面はトーションスプリング１９の付勢力に抗して鉤爪２０ａ，２０ｂを押し下げることができる。したがって、鉤爪２０ａ，２０ｂは、上フレーム３０をやり過ごした後に切欠２２ａ，２２ｂに引っ掛かり、トーションスプリング１９の付勢力によってその姿勢が維持され、ジャムアクセスカバー１５がプリンタ筐体４の開口部をきちんと閉じた状態が保持される。
【００３９】
以上説明したように、本実施形態の開閉体係止装置１６によれば、使用者がジャムアクセスカバー１５や解除レバー１８に手を掛けていたとしても、又は解除レバー１８を掴んでいたとしても、鉤爪２０ａ、２０ｂは軸心Ｌ１中心他方側に回転して、上フレーム３０をやり過ごすことができる。したがって、使用者はジャムアクセスカバーを閉じる際に、ジャムアクセスカバー１５に手を掛けているか解除レバー１８に手を掛けているかを意識する必要がない。
【符号の説明】
【００４０】
１  画像形成装置
４  プリンタ筐体
１５  ジャムアクセスカバー
１６  開閉体係止装置
１７  回転軸
１８  解除レバー
１９  トーションスプリング
２０ａ，２０ｂ  鉤爪
２１  ショルダースクリュー
２２ａ，２２ｂ  切欠
２３  規制壁
２４  長孔
２５  止孔
３４  傾斜面
【図１】
2011128387.tif 000003
【図２】
2011128387.tif 000004
【図３】
2011128387.tif 000005
【図４】
2011128387.tif 000006
【図５】
2011128387.tif 000007
【図６】
2011128387.tif 000008
【図７】
2011128387.tif 000009